(57)【要約】      （修正有）【課題】振れ方の変化を容易に得ることができる起き上がりこぼし、及びアロマの香気の拡散を容易に得ることができる起き上がりこぼし型アロマ容器を提供する。【解決手段】起き上がりこぼしを、本体と蓋体の二つの部材に分けた構成とする。本体の底部を球面とし、かつ本体の上部に上方に向けて突出する雄ねじを設ける。蓋体の内部には下方に向けて開放した空所を設け、空所の内壁に雄ねじと螺合する雌ねじを形成する。本体と蓋体は雄ねじと雌ねじの螺合によって合体し、雄ねじと雌ねじの螺合の度合いによって振れ方の変化を得る。アロマ容器は、起き上がりこぼし本体の雄ねじ内部に上方開放の空所を有し、空所にアロマ液が存在し、蓋体の空所上端に開口を有するとともに、一端がアロマ液に浸漬して他端が開口近傍に位置する芯棒を備える。【選択図】図４
0003222656.tif 000002
【実用新案登録請求の範囲】
【請求項１】
底部に球面を備え、上部に上方に向けて突出する雄ねじを備える本体と、
下方に向けて開放した空所を内部に備え前記空所の内壁が前記雄ねじと螺合する雌ねじを形成する蓋体とを備え、前記本体と前記蓋体は前記雄ねじと前記雌ねじの螺合によって合体する起き上がりこぼし。
【請求項２】
前記雄ねじと前記雌ねじの螺合の度合いに応じて振れ方が変化することを特徴とする請求項１に記載の起き上がりこぼし。
【請求項３】
前記本体が前記雄ねじの内部に上方に向けて開放した空所を備え、前記雄ねじと前記雌ねじが螺合する結果、前記雄ねじの内部の空所と前記蓋体の内部の空所によって形成される空所が、一続きの空所であることを特徴とする請求項１又は請求項２に記載の起き上がりこぼし。
【請求項４】
前記一続きの空所を構成する面が曲面であることを特徴とする請求項３に記載の起き上がりこぼし。
【請求項５】
請求項４に記載の起き上がりこぼしの一続きの空所が上端に開口を備え、一続きの空所にアロマ液が存し、一端がアロマ液に浸漬し他端が開口近傍に位置する起き上がりこぼし型アロマ容器。
【考案の詳細な説明】
【技術分野】
【０００１】
この考案は、起き上がりこぼしに関する。この考案は、鑑賞の対象として用いられ、またおもちゃとして用いられ、また容器として用いられる起き上がりこぼしに関する。また、容器のうち特にアロマの容器として用いられる起き上がりこぼし型アロマ容器に関する。
【背景技術】
【０００２】
従来より、蓋体と本体とに分離できる起き上がりこぼし型の容器はあった（例えば、特許文献１、特許文献２）。特許文献1は糊の容器であって、不使用時に糊が下に位置するように倒立しており、起き上がりこぼし型であることは倒立を維持させるために機能している。しかし、特許文献１に起き上がりこぼしの揺れ方を変化させるという思想について記載はない。
【０００３】
また、従来より、球形の香気を発散させる器であって、重錘により香料容器の起立姿勢を保持安定させて動揺を防止するものはあった（例えば、特許文献２）。しかし、特許文献２に起き上がりこぼしの揺れ方を変化させるという思想について記載はない。
【先行技術文献】
【特許文献】
【０００４】
【特許文献１】実公昭６１−６１５３号公報
【特許文献２】実開平５−５１４３号公報
【考案の概要】
【考案が解決しようとする課題】
【０００５】
起き上がりこぼしであって、振れ方の変化を容易に得ることができる起き上がりこぼしを提供することを課題とする。また、振れ方の変化を容易に得ることができることを活かした起き上がりこぼし型容器を得ることを課題とする。特に、振れ化の変化を容易に得て、アロマの香気の拡散を容易に得ることができる、起き上がりこぼし型アロマ容器を得ることを課題とする。
【課題を解決するための手段】
【０００６】
（１）底部に球面を備え、上部に上方に向けて突出する雄ねじを備える本体と、
下方に向けて開放した空所を内部に備え前記空所の内壁が前記雄ねじと螺合する雌ねじを形成する蓋体とを備え、前記本体と前記蓋体は前記雄ねじと前記雌ねじの螺合によって合体する起き上がりこぼしによって課題を解決する。
（２）前記雄ねじと前記雌ねじの螺合の度合いに応じて振れ方が変化することを特徴とする（１）に記載の起き上がりこぼしによって課題を解決する。
（３）前記本体が前記雄ねじの内部に上方に向けて開放した空所を備え、前記雄ねじと前記雌ねじが螺合する結果、前記雄ねじの内部の空所と前記蓋体の内部の空所によって形成される空所が、一続きの空所であることを特徴とする（１）又は（２）に記載の起き上がりこぼしによって課題を解決する。
（４）前記一続きの空所を構成する面が曲面であることを特徴とする（３）に記載の起き上がりこぼしによって課題を解決する。
（５）（４）に記載の起き上がりこぼしの一続きの空所が上端に開口を備え、
一続きの空所にアロマ液が存し、一端がアロマ液に浸漬し他端が開口近傍に位置する起き上がりこぼし型アロマ容器によって課題を解決する。
【考案の効果】
【０００７】
起き上がりこぼしが、本体と蓋体とで構成され、本体の突出する部材が雄ねじとなり、蓋体の空所自体が雌ねじとなることによって、二つの部材によって構成された起き上がりこぼしとして、極めて単純な構成なものとなる。素材は、しんちゅう、木材、樹脂、等が利用できる。起き上がりこぼしの動きを得るためには、通常、下方が重くなるように重錘を施すが、下方の部材自体（本考案では本体が下方の部材に相当）を雄ねじとすることによって、下方が重くなり、あえて錘を施す必要がない。雄ねじの長さを長くすることによって本体が重くなり、内壁が雌ねじを構成している空所の大きさを大きくすることによって蓋体が軽くなるため、両者の調節により、程よく振れる良好な起き上がりこぼしとすることができる。
【０００８】
雄ねじと雌ねじの螺合の度合いとは、雄ねじと雌ねじの締め具合が最後まで締め切ったか、締め始めの位置で留めているか、といった螺合の度合いである。雄ねじと雌ねじの締め具合が最後まで締め切った状態とは、本体と蓋体とが完全に合体した状態であり、起き上がりこぼし全体にとっては最も下方に重心が存する。下方に重心が存する場合、起き上がりこぼしの振れは小さく、また小刻みに振れる。雄ねじと雌ねじの締め具合が締め始めの位置で留めている状態では、起き上がりこぼし全体にとっては最も上方に重心が存する。重心の位置が上方であればあるほど、振れ幅は大きくなり、振れるスピードは緩やかになる。このように、振れ方は、雄ねじと雌ねじの締め具合によって、すなわち重心の位置によって変化する。
【０００９】
雄ねじと雌ねじの締め具合の変更は、人がこの起き上がりこぼしを両手で握り、容器のふたを開閉する際の動作によって容易にできる。そのような簡易な操作によって、起き上がりこぼしの振れ方の変化が得られるため、そのような振れ方の変化が容器の機能に直接影響を与える場合のみならず、単に、振れ方の変化を楽しむ場合にも、好ましい。
【００１０】
雄ねじと雌ねじの螺合の結果、雄ねじの内部の空所と雌ねじの内部の空所が合体して一つの空所を構成するところ、起き上がりこぼしを容器として用いる際に、収納対象物を収納する空間として用いることができる。そのため、この空所は一続きの空所であることが望ましい。ここにいう一続きの空所とは、形状の観点で内部に遮るものがなく、空所を最大限利用して収納対象物を収納できる空所をいう。この結果、起き上がりこぼしは、容器として有効に利用できる。
【００１１】
雄ねじの内部の空所と雌ねじの内部の空所が合体して形成される一続きの空所の内面が曲面で構成されることによって、この空所に液体を入れた場合に、起き上がりこぼしの振れに応じて生じる内部の対流が起きやすくなる。液体に対流が起きる結果、起き上がりこぼしをアロマ容器として用いた場合に、新たなアロマ液が芯棒のより情報にまでアロマ液をいきわたらせることができる。その結果、アロマの香気の拡散を、より良好に行うことができる。
【図面の簡単な説明】
【００１２】
【図１】実施例１に係るおきあがりこぼしを示す説明図である。
【図２】実施例２に係るおきあがりこぼしを示す説明図である。
【図３】実施例１に係るおきあがりこぼしを示す説明図である。
【図４】実施例１に係るおきあがりこぼしの第１部材と第２部材の取り付け方を変化させた場合を示す説明図である。
【図５】実施例１の断面を示す説明図である。
【図６】実施例１の断面を示す説明図である。
【図７】実施例２の断面を示す説明図である。
【図８】実施例２の断面を示す説明図である。
【考案を実施するための形態】
【００１３】
以下、本考案の好適な実施の形態について、図面を参照し説明する。
【実施例１】
【００１４】
図１から図６に、実施例１の起き上がりこぼし１８を示す。起き上がりこぼし１８は、蓋体１及び本体１０よりなる（図１）。本体１０は底が球面を形成している。本体１０は、上方に突出する雄ねじ１１を備える（図２）。
【００１５】
図５と図６は、本体１０と蓋体１の形体の概要を断面で示している。本体１０の雄ねじ１１には、上方に向けて開放する空所１２が備わる。蓋体１には、赤法に向けて開放する空所３が備わる。空所３の内壁は、本体１０の雄ねじ１２と螺合可能な雌ねじを形成している（図５）。雄ねじ１２と雌ねじ２を締めると、本体１０と蓋体１はぴったりと合致し、一見すると全体が分離しない一つの部材で構成されているかのような外観となる。
【００１６】
本体と蓋体が合致した際、起き上がりこぼし１８の内部には、一続きの空所１５が現れる。一続きの空所１５の内壁は曲面で構成されており、一続きの空所の内壁には角がない。
【００１７】
蓋体と本体の間には、内部の密閉性を向上させるために、パッキンを用いてもよい。
【００１８】
蓋体１の下端４、又は本体の上端１４には、鋭利な先端によるケガを防止するために角が取ってある。
【００１９】
図４に示す通り、本体１０の雄ねじ１１と蓋体１の雌ねじ２の締める度合いに関し、様々な度合いにできる（ａ）に示す、雄ねじ１１と雌ねじ２を最後まで完全に占めた起き上がりこぼしから、（ｄ）に示す、雄ねじ１１と雌ねじ２を、少しだけ締めて互いが外れることのない限度にとどめた起き上がりこぼしまで
の様々な度合いである。このように、雄ねじ１１と雌ねじ２の締める度合いを変えることによって、例えば（ａ）では、小さな触れ幅で小刻みに触れる起き上がりこぼしとなり、例えば（ｄ）では、（ａ）よりも大きな振れ幅で（ａ）よりもゆっくりと触れる。（ａ）と（ｄ）の間である（ｂ）や（ｃ）では、振れ幅も触れる時間も、（ａ）と（ｄ）の間である。
【実施例２】
【００２０】
図７及び図８によって実施例２のアロマ容器１８を説明する。アロマ容器１８は、実施例１の起き上がりこぼしの上端５（図５）を水平方向にカットしたような形体である。アロマ容器１９は、上端に開口８を備える。
【００２１】
アロマ容器１８では、空所１６にアロマ液２０が入れてある。綿等で構成された芯棒２１の一端がアロマ液に浸漬し、芯棒２１の他端が、開口８の近辺で留まっている。芯棒２１の他端が開口８の近辺で留まるための構成は、例えば開口８付近に芯棒の係止具を設けてもよい。
【００２２】
容器中のアロマは、芯棒を伝って上昇し、容器の開口８から香りを発散する。芯棒２１の上方が乾燥し、香りの発散が不十分となった際、容器が起き上がりこぼし方であることから、容器の一カ所を、外部から軽く子付くことにより、容器はしばらくゆらゆらと揺れて、芯棒へのアロマに浸透を助ける。その際、本体と蓋体のねじの締め具合を緩めたり、締めたり、好みに応じて選択ができ、楽しむことができる。
【符号の説明】
【００２３】
１  蓋体
２  雌ねじ
３  空所
４  下端
５  頂部
８  開口
１０  本体
１１  雄ねじ
１２  空所
１４  上端
１５  空所
１６  空所
１８  起き上がりこぼし
１９  アロマ容器
２０  アロマ液
２１  芯棒
【図１】
0003222656.tif 000003
【図２】
0003222656.tif 000004
【図３】
0003222656.tif 000005
【図４】
0003222656.tif 000006
【図５】
0003222656.tif 000007
【図６】
0003222656.tif 000008
【図７】
0003222656.tif 000009
【図８】
0003222656.tif 000010